(57)【要約】【課題】  １枚の保護シートにそれを液晶表示面に位置ずれしないように取り付けることのできる取付け機能を付与することにより、保護シートの取付け作業性を改善し、併せてコストダウンを図る。【解決手段】  液晶表示面２１に重ね合わせた硬質の保護シート５０に差込み片６０と折曲り片７０とを具備させる。差込み片６０を開口１１の口縁と液晶モジュール２０との重なり箇所の隙間に差し込んでその保護シート５０の浮き上がりを防ぐ。折曲り片７０の外面を、開口１１の口縁によって形成されている段付面１２に係止させて保護シート５０の位置ずれを防ぐ。【選択図】        図１
2008281608.tif 000002
【特許請求の範囲】
【請求項１】
筐体の矩形の開口に臨む液晶モジュールの液晶表示面に重ね合わされた矩形の保護シートに具備させた差込み片を、上記開口の口縁と上記液晶モジュールとの重なり箇所の隙間に差し込んでこの保護シートの浮き上がりを防ぎ、かつ、上記保護シートに具備させた折曲り片の外面を、上記開口の口縁によって形成されている段付面に係止させてこの保護シートの位置ずれを防いでいて、上記差込み片と上記折曲り片とを有する上記保護シートが、平坦保形性と曲り弾性とを発揮する硬質の樹脂シートによって形成されていることを特徴とする液晶表示面保護シートの取付構造。
【請求項２】
上記差込み片が、矩形の上記保護シートの１組の対辺のそれぞれに個別に具備された１組の差込み突片に分割されている請求項１に記載した液晶表示面保護シートの取付構造。
【請求項３】
上記折曲り片が、矩形の上記開口の４箇所のそれぞれの入隅部で上記段付面に係止された複数の折曲り突片に分割されている請求項１又は請求項２に記載した液晶表示面保護シートの取付構造。
【請求項４】
上記折曲り片が上記開口の外側へ突き出る立上り高さを有している請求項１ないし請求項３のいずれか１項に記載した液晶表示面保護シートの取付構造。
【請求項５】
液晶モジュールの液晶表示面を外方に向けて露出させている筐体の矩形の開口の周囲外面に、上記開口のサイズよりも大きな樹脂フィルムの裏面に粘着剤層が保持されてなる軟質保護シートを剥離可能に貼着することによってその軟質保護シートで上記液晶表示面を覆わせてあることに追加して、その軟質保護シートの上記粘着剤層に上記液晶表示面に重ね合わせたマスクシートが貼着されていることによって、その粘着剤層が上記液晶表示面から離反されている液晶表示面保護シートの取付構造において、
粘着剤層を保持している上記軟質保護シートと上記マスクシートとを、平坦保形性と曲り弾性とを発揮する樹脂シートでなる矩形の硬質保護シートに置き換えて、その硬質保護シートを上記液晶表示面に重ね合わせた上で、その硬質保護シートに具備させた差込み片を上記開口の口縁と上記液晶モジュールとの重なり箇所の隙間に差し込んでその硬質保護シートの浮き上がりを防ぎ、かつ、上記硬質保護シートに曲成した折曲り片の外面を、上記開口の口縁によって形成されている段付面に係止させてこの硬質保護シートの位置ずれを防いでいると共に、上記差込み片が、上記硬質保護シートの１組の対辺のそれぞれの中央部に個別に具備された１組の差込み突片に分割され、かつ、上記折曲り片が、上記硬質保護シートの他の１組の対辺のそれぞれの端部に個別に具備されて矩形の上記開口の４箇所のそれぞれの入隅部で上記段付面に係止された４つの折曲り突片に分割され、それらの折曲り突片が上記開口の外側へ突き出て手の指で掴むことのできる立上り高さを有していることを特徴とする液晶表示面保護シートの取付構造。
【発明の詳細な説明】
【技術分野】
【０００１】
本発明は、液晶表示面保護シートの取付構造に関する。
【背景技術】
【０００２】
携帯型テレビジョン受像機などのＡＶ機器やその他の電気機器においては、筐体の開口に臨ませた液晶表示面で画像を表示されたり動作モードなどを表示させたりしている。また、筐体の開口に臨ませた液晶表示面に制御信号入力用のタッチパネル機能を付与することもある。そして、このような液晶表示面を備える電気機器にあっては、取扱い中に液晶表示面を傷付けるといった事態を未然に防ぐことを目的として、その液晶表示面を保護するための対策が講じられる。
【０００３】
このための対策として、上記開口のサイズよりも大きな薄手の樹脂フィルムの裏面に粘着剤層が保持されてなる矩形の軟質保護シートを、筐体の上記開口の周囲外面に剥離可能に貼着することによってその軟質保護シートで上記液晶表示面を覆わせるという手段を採用することがある。しかし、この手段によると、軟質保護シートの裏面の粘着剤層を形成している粘着剤成分が温度によっては液晶表示面に付着したり移行したりするという事態の起こるおそれがあり、仮に、そのような事態が起こると、液晶表示面が粘着剤成分で汚れたり変質したりしてしまうことがある。
【０００４】
そこで、従来は次に説明する手段を採用して粘着剤が液晶表示面に付着したり移行したりすることを防いでいた。この手段を図７及び図８を参照して次に具体的に説明する。
【０００５】
図７は液晶表示面保護シートの取付構造の従来例を示した概略分解斜視図、図８は同従来例の概略断面図である。
【０００６】
図７及び図８において、１０は電気機器（たとえば携帯型液晶テレビジョン受像機）の筐体を示し、この筐体１０に備わっている矩形の開口１１に、筐体１０に収容されている液晶モジュール２０の液晶表示面２１が臨んでいる。そして、上記開口１１のサイズよりも大きな樹脂フィルムの裏面に粘着剤層が保持されてなる軟質保護シート４０を、図８のように矩形の開口１１の周囲で筐体１０の外面に剥離可能に貼着することによってその軟質保護シート４０で液晶表示面２１を覆わせてあることに追加して、その軟質保護シート４０の粘着剤層に、液晶表示面２１に重ね合わせた矩形のマスクシート３０を貼着することによって、軟質保護シート４０の粘着剤層を液晶表示面２１から離反させている。
【０００７】
この従来例によると、軟質保護シート４０の裏面の粘着剤層に、液晶表示面２１に重ね合わせた矩形のマスクシート３０が貼着されているために、液晶表示面２１に粘着剤層の粘着剤成分が付着したり移行したりするという事態が起こらなくなって、液晶表示面２１が粘着剤成分で汚れたり変質したりするという事態が改善される。
【０００８】
一方、従来より、ＣＲＴディスプレイその他の表示画面を被覆してその汚損や耐衝撃性を改善することに用い得る保護フィルムに関して、その保護フィルムの光線透過率や表面祖度を規定して表示画面の鮮明度の低下を防いだり、その保護フィルムに自己粘着性を付与して着脱を容易にすることなどが提案されている（たとえば、特許文献１参照）。また、プラズマディスプレイの分野では、明光下での視認性に優れ、リワーク性が良好で、前面フィルタ装着による干渉縞の発生などを抑制することのできる前面フィルム状シートについての提案もなされている（たとえば、特許文献２参照）。
【特許文献１】特開２００３−２６３１１５号公報
【特許文献２】特開２００３−６６８５２号公報
【発明の開示】
【発明が解決しようとする課題】
【０００９】
ところで、図７及び図８を参照して説明した取付構造によって液晶表示面２１に取り付けられた軟質保護シート４０は、電気機器の使用開始時にユーザによって筐体１０から剥がし取られるものであって、液晶表示面２１に取り付けられたまま使用されるものではない。そのため、ユーザにとっては軟質保護シート４０を容易に筐体１０から剥離することができるものであることが望まれる。また、この種の軟質保護シート４０は、ユーザが筐体１０から剥がし取った後に廃棄されることが予定されているために、そのコストもできるだけ安価であることが望まれているだけでなく、組立ラインで筐体１０に取り付けるための作業もできるだけ手間の掛からないものであることが望まれている。
【００１０】
しかしながら、従来例では、図７及び図８を参照して説明したように、保護シートが軟質であって薄手の樹脂フィルムでなり、その裏面の粘着剤層を介して筐体１０の外面に貼着されているために、それを剥がし取るために軟質保護シート４０のコーナなどを起点として筐体１０から剥離しようとしても、軟質保護シート４０が筐体１０に密着してしまっていてそのコーナを容易に剥離することができないという事態がしばしば起こることが知見された。また、軟質保護シート４０の貼着と剥離とが繰り返されるとね粘着剤層の粘着性が劣化して軟質保護シート４０を貼着できなくなってしまうということも知見された。
【００１１】
また、マスクシート３０には、粘着剤層の粘着剤成分が液晶表示面２１に付着したり移行したりすることを防ぐ作用を発揮することが要求されているため、そのマスクシート３０に比較的厚手の硬質シートを用いることが不可欠であって、具体的にはポリカーボネートシートが用いられていたために、そのマスクシート３０が軟質保護シート４０と共にユーザによって廃棄されるものであるにもかかわらず比較的コスト高になっていた。
【００１２】
さらに、組立ラインで軟質保護シート４０を筐体１０に取り付けるための作業に関しては、マスクシート３０を液晶表示面２１に重ね合わせる工程と、そのマスクシート３０が位置ずれしないように注意を払ってその上から軟質保護シート４０を筐体１０に貼着する工程と、を行う必要があったために、作業が煩わしいだけでなく、熟練を要するものでもあった。
【００１３】
本発明は以上の状況に鑑みてなされたものであり、１枚の保護シートにそれを液晶表示面に位置ずれしないように取り付けることのできる取付け機能を付与するという対策を講じることによって、保護シートの取付け作業性が従来例に比べて改善され、従来例に比べてコストが安くつき、さらに、何回でも繰り返し取付け取外しを行うことのできる液晶表示面保護シートの取付構造を提供することを目的とする。
【課題を解決するための手段】
【００１４】
本発明に係る液晶表示面保護シートの取付構造では、筐体の矩形の開口に臨む液晶モジュールの液晶表示面に重ね合わされた矩形の保護シートに具備させた差込み片を、上記開口の口縁と上記液晶モジュールとの重なり箇所の隙間に差し込んでこの保護シートの浮き上がりを防ぎ、かつ、上記保護シートに具備させた折曲り片の外面を、上記開口の口縁によって形成されている段付面に係止させてこの保護シートの位置ずれを防いでいて、上記差込み片と上記折曲り片とを有する上記保護シートが、平坦保形性と曲り弾性とを発揮する硬質の樹脂シートによって形成されている。
【００１５】
この構成であれば、平坦保形性と曲り弾性とを発揮する保護シートの曲り弾性を利用してその差込み片を開口の口縁と液晶モジュールとの重なり箇所の隙間に差し込むことと、保護シートを矩形の開口に落し込んで折曲り片を開口の口縁の段付面に係止させることとを行うだけで、保護シートが位置ずれしないように液晶表示面に重ね合わされて、その液晶表示面が保護シートにより覆われて保護される。また、液晶表示面に取り付けられている保護シートの曲り弾性を利用して差込み片を上記隙間から抜き出すだけで、その保護シートが液晶表示面から取り外される。そのため、保護シートを液晶表示面に取り付けたり液晶表示面から取り外したりする作業を迅速にしかも容易に行うことができるようになるだけでなく、液晶表示面の保護のために１枚の保護シートを用いるだけで済むために価格が安くつく。しかも、取付けに粘着剤を利用していないために、粘着剤成分が液晶表示面に付着したり移行したりして液晶表示面が汚れたり変質したりするおそれもなくなる。さらに、粘着剤層によって貼着するというものではなく、差込み片を隙間に挟み込んだり鋤津から抜き出したりすることによって取付け取外しが行われるので、何度でも取付け取外しを行うことができるという利点もある。
【００１６】
本発明では、上記差込み片が、矩形の上記保護シートの１組の対辺のそれぞれに個別に具備された１組の差込み突片に分割されていることが望ましい。また、上記折曲り片が、矩形の上記開口の４箇所のそれぞれの入隅部で上記段付面に係止された複数の折曲り突片に分割されていることが望ましい。そして、差込み片が上記のように１組の差込み突片に分割されていると、保護シートの浮き上がりがそれらの差込み突片によって確実に防止される。また、折曲り片が上記のように複数の折曲り突片に分割されていると、保護シートの位置ずれ防止信頼性が向上する。
【００１７】
本発明では、上記折曲り片が上記開口の外側へ突き出る立上り高さを有していることが望ましい。これによれば、液晶表示面に取り付けられている保護シートの折曲り片を手の指で掴んで引張るという作業を行うだけで、その保護シートの差込み片を上記隙間から容易に抜き出すことができるという利点がある。
【００１８】
本発明に係る液晶表示面保護シートの取付構造は、液晶モジュールの液晶表示面を外方に向けて露出させている筐体の矩形の開口の周囲外面に、上記開口のサイズよりも大きな樹脂フィルムの裏面に粘着剤層が保持されてなる軟質保護シートを剥離可能に貼着することによってその軟質保護シートで上記液晶表示面を覆わせてあることに追加して、その軟質保護シートの上記粘着剤層に上記液晶表示面に重ね合わせたマスクシートが貼着されていることによって、その粘着剤層が上記液晶表示面から離反されている液晶表示面保護シートの取付構造において、粘着剤層を保持している上記軟質保護シートと上記マスクシートとを、平坦保形性と曲り弾性とを発揮する樹脂シートでなる矩形の硬質保護シートに置き換えて、その硬質保護シートを上記液晶表示面に重ね合わせた上で、その硬質保護シートに具備させた差込み片を上記開口の口縁と上記液晶モジュールとの重なり箇所の隙間に差し込んでその硬質保護シートの浮き上がりを防ぎ、かつ、上記硬質保護シートに曲成した折曲り片の外面を、上記開口の口縁によって形成されている段付面に係止させてこの硬質保護シートの位置ずれを防いでいると共に、上記差込み片が、上記硬質保護シートの１組の対辺のそれぞれの中央部に個別に具備された１組の差込み突片に分割され、かつ、上記折曲り片が、上記硬質保護シートの他の１組の対辺のそれぞれの端部に個別に具備されて矩形の上記開口の４箇所のそれぞれの入隅部で上記段付面に係止された４つの折曲り突片に分割され、それらの折曲り突片が上記開口の外側へ突き出て手の指で掴むことのできる立上り高さを有している、という構成を採用することも可能である。この発明の作用などについては後述する実施形態を参照して詳細に説明する。
【発明の効果】
【００１９】
以上のように、本発明によれば、１枚の保護シートに備わっている差込み片や折曲り片が、その保護シートを液晶表示面に位置ずれしないように取り付けることに役立つので、保護シートの取付け作業性が図７及び図８を参照して説明した従来例に比べて改善され、しかも、従来例に比べてコストも安くつく。また、ユーザにとっても、その保護シートを手間をかけずに容易に取り外すことができるようになるという効果が奏される。
【発明を実施するための最良の形態】
【００２０】
図１は本発明の実施形態に係る液晶表示面保護シートの取付構造の概略分解斜視図、図２は同取付構造の概略断面図、図３は同取付構造の概略平面図、図４は図２のＩＶ部拡大図である。
【００２１】
図１に符号１０で示した筐体は、図７又は図８を参照して説明したものと同様の構成を有している。すなわち、筐体１０はたとえば携帯型液晶テレビジョン受像機の筐体に相当していて、その筐体１０に備わっている矩形の開口１１に、筐体１０に収容されている液晶モジュール２０の液晶表示面２１が臨んで外方に向けて露出している。また、この筐体１０において、開口１１の口縁は段付面１２に形成されている。
【００２２】
保護シート５０は硬質であって、平坦保形性と曲り弾性とを発揮する矩形の樹脂シートによって形成されている。このような硬質の保護シート５０には、たとえば矩形のポリカーボネートシートを好適に用い得る。ここで、保護シート５０によって発揮される平坦保形性とは、保護シート５０の端部を掴んで片持ちしたときにその保護シート５０自体が平坦又は略平坦な形状を保持する性質のことである。言い換えると、保護シート５０は、片持ちしたときに折れ曲がって垂れ下がるという状況を生じない程度の腰の強さを有している。また、保護シート５０によって発揮される曲り弾性とは、保護シート５０がばね性を有しているということである。したがって、この保護シート５０を湾曲状に変形させたときには、その保護シート５０自体の曲り弾性によって平坦な初期形状に復帰する反力を発揮し、それを変形させている力を取り除いたときには、その保護シート５０自体の曲り弾性によって平坦な初期形状に復帰する。
【００２３】
矩形の保護シート５０は、筐体１０の開口１１から外方に向けて露出している矩形の液晶表示面２１のサイズよりも大きくないサイズに形成されている。そして、この保護シート５０には差込み片６０と直角に曲成された折曲り片７０とが一体に備わっている。この実施形態において、差込み片６０は、保護シート５０の長辺を形成している１組の対辺５１，５１のそれぞれの中央部に個別に具備された１組の差込み突片６１，６２に分割されているのに対し、折曲り片７０は、保護シート５０の短辺を形成している他の１組の対辺５２，５２のそれぞれの端部に個別に具備された４つの折曲り突片７１，７２，７３，７４に分割されている。なお、図例において、差込み突片６１，６２が横長の台形に形作られ、折曲り突片７１〜７４が矩形に形作られているけれども、それらの形状は図例に限定されない。
【００２４】
保護シート５０が液晶表示面２１に取り付けられている状態では、図２又は図４のように、１組の差込み突片６１，６２が、開口１１の口縁と液晶モジュール２０との重なり箇所の隙間に差し込まれている。したがって、保護シート５０はその長辺部分の中央部において液晶表示面２１からの浮き上がりが防止されている。また、図３のように、４つの折曲り突片７１〜７４のそれぞれが、矩形の開口１１の４箇所のそれぞれの入隅部１１ａ，１１ｂ，１１ｃ，１１ｄに個別に位置してそれらの入隅部１１ａ〜ｄで段付面１２（図２又は図３参照）に係止されている。したがって、４箇所の入隅部１１ａ〜ｄで段付面１２に係止している４つの折曲り突片７１〜７４が共働して、液晶表示面２１に重ね合わされている保護シート５０が互いに直交する２軸方向（開口１１の縦横方向）で位置ずれすることを防止している。
【００２５】
平坦保形性と曲り弾性とを有する硬質の保護シート５０が図２〜図４に示した構造で液晶表示面２１に取り付けられていると、液晶表示面２１が保護シート５０に覆われて保護される。また、振動や衝撃が加わっても、保護シート５０が位置ずれしたり脱落したりすることがないので保護シート５０による保護作用が損なわれることはない。
【００２６】
上記の構造で液晶表示面２１に取り付けられている保護シート５０を取り外すときには、差込み突片６１，６２を開口１１の口縁と液晶モジュール２０との重なり箇所の隙間から抜き出して開口１１から取り出せばよい。差込み突片６１，６２は、保護シート５０をその曲り弾性を利用して湾曲させることによって容易に抜き出すことが可能である。また、折曲り突片７１〜７４のいずれかを手の指で掴んで引き上げてもよい。すなわち、折曲り突片７１〜７４に段付面１２から突き出る高さを付与して手の指で掴めるようにしておき、そのいずれかを手の指で掴んで引き上げると、保護シート５０がその曲り弾性に抗して撓むために差込み突片６１，６２が隙間から引き抜かれる。
【００２７】
次に、液晶表示面２１に保護シート５０を取り付けるときには、保護シート５０の曲り弾性を利用してその差込み突片６１，６２を上記隙間に差し込むことと、保護シート５０を矩形の開口１１に落し込んで折曲り突片７１〜７４を４つの入隅部１１ａ〜ｄで段付面１２に係止させることとを行うだけで済む。
【００２８】
以上説明した実施形態の取付構造を、図７又は図８を参照して説明した従来例と対比すると、従来例の粘着剤層を保持している軟質保護シート４０とマスクシート３０とが、平坦保形性と曲り弾性とを発揮する樹脂シートでなる矩形の硬質の保護シート５０に置き換えられている。そして、硬質の保護シート５０の取付けには差込み片６０と折曲り片７４とが用いられているだけである。このことから、コスト的に実施形態が安くつくことが明らかであり、取付作業性や取外し作業性も実施形態が優れていることが明らかである。
【００２９】
図５は保護シート５０の変形例を示した概略斜視図である。この事例では、折曲り片７０を、保護シート５０の短辺部分を直角に折り曲げることによって形成した２つの折曲り突片７５，７６に分割してある。これによっても、図１〜図４に示した保護シート５０の場合と同様の作用が発揮される。
【００３０】
図６は保護シート５０の他の変形例を示した概略斜視図である。この事例は、差込み突片６１と折曲り突片７１〜７４とを同一の辺に並べて形成した事例である。これによっても、図１〜図４に示した保護シート５０の場合と同様の作用が発揮される。
【００３１】
なお、図５及び図６の保護シート５０において、図１〜図４に示した要素と同一又は相応する要素には同一の符号を付して詳細な構成説明を省略する。
【００３２】
本発明に係る取付構造において、差込み片６０や折曲り片７０を分割することによって硬質の保護シート５０に具備させる差込み突片や折曲り突片の数は上記に限定されない。
【図面の簡単な説明】
【００３３】
【図１】本発明の実施形態に係る液晶表示面保護シートの取付構造の概略分解斜視図である。
【図２】同取付構造の概略断面図である。
【図３】同取付構造の概略平面図である。
【図４】図２のＩＶ部拡大図である。
【図５】保護シートの変形例を示した概略斜視図である。
【図６】保護シートの他の変形例を示した概略斜視図である。
【図７】従来例を示した概略分解斜視図である。
【図８】従来例の概略断面図である。
【符号の説明】
【００３４】
１０  筐体
１１  開口
１２  段付面
２０  液晶モジュール
２１  液晶表示面
３０  マスクシート
４０  保護シート（軟質保護シート）
５０  保護シート（硬質保護シート）
６０  差込み片
６１，６２  差込み突片
７０  折曲り片
７１〜７４，７５，７６  折曲り突片
【図１】
2008281608.tif 000003
【図２】
2008281608.tif 000004
【図３】
2008281608.tif 000005
【図４】
2008281608.tif 000006
【図５】
2008281608.tif 000007
【図６】
2008281608.tif 000008
【図７】
2008281608.tif 000009
【図８】
2008281608.tif 000010